(57)【特許請求の範囲】
【請求項１】
マイクロホン本体を受け入れて保持するマウント部材と、
上記マウント部材の外径よりも大きい内径の円弧状に形成されている支持ベースと、
上記マウント部材の軸方向中間部に位置する上記支持ベースと上記マウント部材の軸方向両側との間に張力が与えられた状態で架け渡されることにより上記マウント部材を上記支持ベースから離間させて保持する弾性紐と、を有してなり、
上記支持ベースは、上記弾性紐を経由させる切欠きを複数個所に有し、
上記複数個所の切欠きは上記支持ベースの周方向において前後非対称位置とすることにより上記弾性紐の張力を前後非対称とし、上記マウント部材の前後方向の傾きを調整可能にしたマイクロホンのショックマウント。
【請求項２】
弾性紐は、結束部材を境にして二つのループ状弾性紐を有してなる一組の弾性紐が２組用いられ、各組の弾性紐はそれぞれ上記二つのループ状弾性紐が前後に振り分けられ、上記マウント部材の軸方向両側に上記支持ベースの切欠きを経由して架け渡されている請求項１記載のマイクロホンのショックマウント。
【請求項３】
支持ベースの切欠きと弾性紐との摩擦力によりマウント部材の傾き調整位置が維持される請求項１記載のマイクロホンのショックマウント。
【請求項４】
弾性紐は表面に植毛が施されている請求項１、２または３記載のマイクロホンのショックマウント。
【請求項５】
２組の弾性紐は、結束部材が支持ベースの穴に嵌められる請求項２記載のマイクロホンのショックマウント。
【発明の詳細な説明】
【技術分野】
【０００１】
本発明は、マイクロホンのショックマウントに関するもので、制振効果を保ちながらマイクロホンの角度を微調整することができるようにしたものである。
【背景技術】
【０００２】
放送スタジオや録音スタジオなどで用いられるマイクロホンは、建物の床などからの振動がマイクロホンに伝わって、電気音響変換信号に雑音が混入しないように、ショックマウントが用いられる。ショックマウントのことを、クレードルサスペンションという場合もある。
【０００３】
マイクロホンのショックマウントとして、マイクロホン本体を受け入れて保持するマウント部材と、マウント部材の外径よりも大きい内径のリング状に形成されている支持ベースと、マウント部材を支持ベースから離間させて保持する弾性紐と、を有してなるものが知られている。特許文献１記載の発明はその一つで、マウント部材の軸方向中間部に位置する支持ベースと、マウント部材の軸方向両端部との間に、適宜の張力を与えて弾性紐を架け渡すことにより、マウント部材が支持ベースから離間して保持されるようになっている。
【０００４】
上記支持ベースはマイクロホンスタンドに結合され、マイクロホンスタンドはスタジオなどの床の上あるいはテーブルの上などに置かれる。床やテーブルなどが振動すると、マイクロホンスタンドから支持ベースに振動が伝わるが、支持ベースとマウント部材との間に介在している弾性紐が上記振動のマウント部材への伝達を遮断し、マイクロホンの出力信号に振動雑音が混入することを防止する。
【０００５】
上記従来のショックマウントに用いられている弾性紐は、基本的にはゴム紐であって、ゴム紐が経時的な化学変化により劣化することを抑制するために、ゴム紐の外表面を糸で覆い、あるいは伸縮性のある布で覆った弾性紐が用いられている。弾性紐は、輪ゴムのように無端のループ状に形成され、マウント部材および支持ベースの周方向の複数箇所、例えば４カ所で、支持ベースとマウント部材の軸方向両端部に架け渡される。
【０００６】
ショックマウントによって保持されるマイクロホンとしては、収音軸がマイクロホン本体の中心軸線に対し直交する方向に向いているサイドエントリー型が多く用いられている。スタジオ内でマイクロホンスタンドなどに支持されて用いられる据え置き型のマイクロホンには、音質を重視することから、大きな直径のマイクロホンユニットが用いられている。大きな直径のマイクロホンユニットを有するマイクロホンは、高音域の指向性が鋭くなっているため、マイクロホンユニットの中心と音源を結ぶ線に対する収音軸の角度を細かく調整できることが望ましい。また、音源が人間、例えば歌手の場合などを想定すると、人間の息づかいによる風雑音やポップノイズを収音することを回避するために、収音軸の方向を調整できることが望ましい。
【０００７】
従来のマイクロホンのショックマウントにおけるマイクロホンの収音軸方向の調整は、ショックマウントとマイクロホンスタンドとの結合部で行っていた。すなわち、上記結合部の締め付けねじを緩めた状態でマイクロホンスタンドに対するショックマウントの取り付け角度を調整し、調整後は締め付けねじを締め付ける、という操作が必要な構造になっている。かかる構造のショックマウントによれば、締め付けねじを緩め、さらに角度調整後締め付けるという操作が必要なため、細かな角度調整は難しい。例えば、アナウンサーや歌手などの音源が自分自身の音声をヘッドホンなどでモニタリングしながら収音軸の微調整をすることは、従来のショックマウントの構造では難しい。
【０００８】
また、マイクロホンスタンドに対してショックマウントの取り付け角度を調整する際に、マイクロホンスタンドとショックマウントとの結合部が振動しあるいは異音を発し、これらの振動や異音がマイクロホンに伝わって、マイクロホン出力に雑音が混入する難点がある。
【先行技術文献】
【特許文献】
【０００９】
【特許文献１】特開２００２−２０４４９１号公報
【発明の概要】
【発明が解決しようとする課題】
【００１０】
本発明は、上記従来技術の問題点を解消すること、すなわち、マイクロホンの取り付け角度の微調整が容易で、必要に応じていつでも微調整可能であり、微調整時に生ずる雑音を低減することができるマイクロホンのショックマウントを提供することを目的とする。
【課題を解決するための手段】
【００１１】
本発明に係るマイクロホンのショックマウントは、
マイクロホン本体を受け入れて保持するマウント部材と、
上記マウント部材の外径よりも大きい内径の円弧状に形成されている支持ベースと、
上記マウント部材の軸方向中間部に位置する上記支持ベースと上記マウント部材の軸方向両側との間に張力が与えられた状態で架け渡されることにより上記マウント部材を上記支持ベースから離間させて保持する弾性紐と、を有してなり、
上記支持ベースは、上記弾性紐を経由させる切欠きを複数個所に有し、
上記複数個所の切欠きは上記支持ベースの周方向において前後非対称位置とすることにより上記弾性紐の張力を前後非対称とし、上記マウント部材の前後方向の傾きを調整可能にした
ことを最も主要な特徴とする。
【発明の効果】
【００１２】
マウント部材と支持ベースと弾性紐を有するマイクロホンのショックマウントにおいて、支持ベースに弾性紐を経由させる複数個所の切欠きを、支持ベースの周方向において前後非対称位置とし、上記弾性紐の張力を前後非対称としたことにより、マウント部材の前後方向の傾きを、マイクロホンを保持したまま調整することが可能になった。
【図面の簡単な説明】
【００１３】
【図１】本発明に係るマイクロホンのショックマウントの実施例を示す平面図である。
【図２】上記実施例に係るショックマウントにマイクロホンを装着した状態を示す一部断面正面図である。
【図３】上記実施例に係るショックマウントにマイクロホンを装着した状態を示す一部断面側面図である。
【図４】上記実施例に係るショックマウントにマイクロホンを装着した状態を示す一部断面分解正面図である。
【図５】上記実施例に係るショックマウントにマイクロホンを装着してショックマウントを傾けた状態を示す側面図である。
【図６】上記実施例に用いられている弾性紐を展開して示すもので、（ａ）は一部断面平面図、（ｂ）は側面図である。
【図７】上記弾性紐を展開して示す一部断面平面図である。
【発明を実施するための形態】
【００１４】
以下、本発明に係るマイクロホンのショックマウントの実施例を、図面を参照しながら説明する。
【実施例】
【００１５】
図１乃至図５において、符号２４０はマイクロホンを示している。このマイクロホン２４０を支持するショックマウントは、主要な構成部品として、マウント部材２１０、支持ベース２２０、弾性紐２３０を有してなる。
【００１６】
マウント部材２１０は全体として円筒形状の部材で、円筒形の内周面でマイクロホン２４０のケースの外周面を保持するようになっている。マウント部材２１０の中心軸線方向（図２、図３において上下方向）両端には、図１に示すように周方向の４か所に弾性紐掛け２１３が形成されている。図１に示すように、マウント部材２１０の中心軸線を通りかつ互いに直交する直径方向の２つの中心線を想定すると、上記４か所の弾性紐掛け２１３は、上記２つの中心線のいずれに対しても対象となる位置に設けられている。
【００１７】
弾性紐掛け２１３は、ループ状に形成されている弾性紐２３０をマウント部材２１０の外周側から差し入れて内周側に引っ掛けるためのもので、マウント部材２１０の内周側を向いた鉤形に形成されている。各弾性紐掛け２１３の両側に切欠き２１４を形成することにより、弾性紐掛け２１３はマウント部材２１０の中心軸線方向に突状に形成されている。弾性紐２３０は、上記弾性紐掛け２１３の両側の切欠き２１４を、マウント部材２１０の外側から内側に向かい、さらに外側に向かって通されることにより弾性紐掛け２１３に引っ掛けられる。弾性紐掛け２１３に引っ掛けられた弾性紐２３０がマウント部材２１０の内周面側に大きく突き出ないように、弾性紐掛け２１３はマウント部材２１０の内周面から半径方向外側に向け後退させて形成されている。
【００１８】
マウント部材２１０によって保持されるべきマイクロホン２４０の正面は図１において下側である。上記４か所の弾性紐掛け２１３は、マウント部材２１０の前述の位置に設けられることにより、上記マイクロホン２４０の正面側と背面側に均等に、かつ、左右にも均等に配分されている。マウント部材２１０は、その内周側にマイクロホン２４０の下半部を受け入れてマイクロホン２４０を保持するようになっている。
【００１９】
支持ベース２２０は、基本的にはリング状に形成されていればよいが、本実施例における支持ベース２２０は、図１に示すように円弧の一部が切除された部分円弧状に形成されている。図１において符号２２８は上記切除部を示している。切除部２２８は、マウント部材２１０によって保持されるべきマイクロホン２４０の正面すなわち収音面側に対応している。円弧状の支持ベース２２０の内径はマウント部材２１０の外径よりも十分大きく、マウント部材２１０は支持ベース２２０の内周側に十分大きな空間をおいて位置している。
【００２０】
図１において、支持ベース２２０は、上記のように切除部２２８が形成されることにより、前後方向（図１において上下方向）の中心線を境にして左右対称形になっている。支持ベース２０の長さ方向（周方向）中央すなわちマウント部材２１０で保持されるマイクロホン２４０の背面に対応する位置からは、アーム２７０が半径方向外側に向かって突出している。アーム２７０には図示されないマイクロホンスタンドとの連結金具が結合され、上記マイクロホンスタンドが本実施例に係るショックマウントを支持するようになっている。
【００２１】
支持ベース２２０には、支持ベース２２０を左右に２分する前後方向の中心線に対し直交する線でありかつ支持ベース２２０の円弧の中心点を通る線上に、左右に対をなして穴２２２が支持ベース２２０の外周面から半径方向内側に向かって形成されている。各穴２２２には、後で説明する弾性紐２３０の外殻部材２２５が嵌められる。
【００２２】
支持ベース２２０には、以下のような切欠きが数箇所に、かつ、左右対称位置に形成されている。すなわち、弾性紐２３０の外殻部材２２５が嵌められる各穴２２２を中心として支持ベース２２０の周方向の等距離位置にそれぞれ切欠き２２６が支持ベース２２０の外周面から半径方向内側に向かって形成されている。また、前記アーム２７０を中心として支持ベース２２０の周方向の等距離位置に、かつ、上記切欠き２２６よりもアーム２７０に近い位置にそれぞれ切欠き２２７が支持ベース２２０の外周面から半径方向内側に向かって形成されている。各切欠き２２６，２２７は、マウント部材２１０の上下両端に架け渡す弾性紐２３０を中継しかつ弾性紐２３０を周方向に位置決めする働きをしている。
【００２３】
図６、図７は、弾性紐２３０の構成を示している。弾性紐２３０は、図６、図７に示すように、同じ長さの２本の弾性紐２３０を折り返し、２本の弾性紐２３０の両端部を束ね、この束ねた部分を結束金具２３１によって結束している。ループ状の２本の弾性紐２３０が重なり、図６（ｂ）に示すように、結束金具２３１の端面に４つの弾性紐２３０の各端面が現れている。このようにして一体化された弾性紐２３０の組が本実施例では２組用いられる。２組の弾性紐２３０の結束金具２３１はそれぞれ図２、図４に示すように外殻部材２２５に嵌められている。
【００２４】
一つの組をなす弾性紐２３０は、図２、図３に示すように、結束金具２３１が外殻部材２２５に嵌められ、外殻部材２２５が支持ベース２２０の穴２２２に支持ベース２２０の半径方向内側に向けて挿入されることにより、一つの組をなす弾性紐２３０の中央が支持ベース２２０に位置決めされている。図１、図３、図５に示すように、一つの組をなす２本の弾性紐２３０は、上記穴２２を境にしてマウント部材２１０および支持ベース２２０の前後に振り分けられ、前後の弾性紐２３０はそれぞれマウント部材２１０の上下両端の弾性紐掛け２１３に架け渡されている。また、前後に振り分けられた弾性紐２３０の一方は支持ベース２２０の上記切欠き２２６を経由することにより位置決めされ、前後に振り分けられた弾性紐２３０の他方は支持ベース２２０の前記切欠き２２７を経由することにより位置決めされている。
【００２５】
他の一つの組をなす２本の弾性紐２３０も図３に示す面と反対側の面で同様に前後に振り分けられ、支持ベース２２０を経由してマウント部材２１０の軸線方向両端部に架け渡されている。前後に振り分けられた上記２本の弾性紐２３０の一方は支持ベース２２０の切欠き２２６を経由し、上記２本の弾性紐２３０の他方は支持ベース２２０の切欠き２２７を経由している。したがって、２組の弾性紐２３０は、ショックマウントを左右方向に２分する中心線（図１において上下方向の中心線）に対しては対称形に架け渡されているが、ショックマウントを前後方向に２分する中心線に対しては非対称形に架け渡されている。
【００２６】
このように、組をなす弾性紐２３０が２組、マウント部材２１０の前後方向の中心線を境にして左右に配置され、支持ベース２２０を経由してマウント部材２１０の軸方向両端に跨って架け渡され、それぞれの弾性紐２３０に適宜の張力が付与されている。かかる構成によって、マウント部材２１０が支持ベース２２０の内周側において支持ベース２２０から離間して弾性支持されている。
【００２７】
図示の実施例では、２本の弾性紐２３０の各両端部を結束金具２３１で結束することにより一組の弾性紐２３０を形成しているが、１本の弾性紐２３０の長さ方向中央部を折り返し、この折り返し部と両端部とを結束部材で結束して、図６、図７に示すような一組の弾性紐２３０と同様の一組の弾性紐を形成してもよい。あるいは、ループ状の１本の弾性紐２３０を１本の線状に重ねてその長さ方向中央部を折り返し、この折り返し部を結束部材で結束して一組の弾性紐を構成してもよい。
【００２８】
マイクロホン２４０の下半部は手でも持つことができるグリップ部になっていて、このグリップ部をマウント部材２１０が受け入れるようになっている。マイクロホン２４０の上記グリップ部の外径は収音部の外径より多少小さくなっていて、グリップ部と収音部との間には段部２４３が形成されている。マウント部材２１０で受け入れられたマイクロホン２４０の下端面には押さえ部材２５０がねじ２６０で締結されている。押さえ部材２５０の外周縁部は、マウント部材２１０の下端側の弾性紐掛け２１３の一部を覆っている。マイクロホン２４０の段部２４３はマウント部材２１０の上端側の弾性紐掛け２１３の一部を覆っている。押さえ部材２５０とマイクロホン２４１の段部２４３でマウント部材２１０を上下から挟み込み、マイクロホンケース２４１および弾性紐２３０がマウント部材２１０から脱落することを防止している。
【００２９】
マイクロホンケース２４１の下端からはマイクロホンコネクタ２４４が押さえ部材２５０の中心孔を貫いて突出している。図３に示すように、マイクロホンコネクタ２４４にはケーブルコネクタ２８０が結合され、マイクロホン２４０の出力信号がマイクロホンケーブルを介して外部回路に向けて出力されるようになっている。
【００３０】
マウント部材２１０がマイクロホン２４０を受け入れている状態では、マウント部材２１０とマイクロホン２４０は、弾性紐２３０を介して支持されることにより一体的に動くことができる可動部となっている。この可動部全体としての重心点Ｃは、前記支持ベース２２０の左右の穴２２２の中心位置を結ぶ水平線上に位置するように、マイクロホン２４０の重量配分が考慮されている。
【００３１】
図２、図３などからわかるように、マウント部材２１０は、弾性紐２３０により、支持ベース２２０の左右の穴２２２の中心位置を結ぶ水平線を中心にして軸線方向のほぼ中央で上下方向にほぼ均等の張力で支持されている。また、図１からわかるように、弾性紐２３０にはマウント部材２１０の前後方向の中心線を境にして左右均等に張力が与えられている。
【００３２】
これに対して、上記左右の穴２２２の中心位置を結ぶ水平線に対しては、前述のとおり、弾性紐２３０が経由する支持ベース２２０の切欠きの位置が前後に非対称になっていて、弾性紐２３０に張力を与える支持ベース２２０の切欠きの位置が後ろ側に偏移している。これをより具体的に説明すると、一組の弾性紐２３０は、図６、図７について説明したように、結束金具２３１を境にして二つのループ状の弾性紐に振り分けられ、一つのループ状弾性紐は支持ベース２２０の切欠き２２６を経由しているのに対し、もう一つのループ状弾性紐は支持ベース２２０の切欠き２２７を経由している。後者のループ状弾性紐が経由する切欠き２２７は支持ベース２２０の後ろ寄りに偏って形成されているため、上記後者のループ状弾性紐の張力は上記前者のループ状弾性紐の張力よりも大きく、マウント部材２１０が支持ベース２２０の後ろ寄りに偏った位置で支持される。
【００３３】
いま、仮に２組の弾性紐２３０がともに、支持ベース２２０の左右の穴２２２から均等の位置にある切欠き２２６を経由してマウント部材２１０に掛け止められているとすれば、上記左右の穴２２２を結ぶ左右方向の水平線を中心にして前後均等に張力が与えられることになる。このように弾性紐２３０の張力が前後方向にバランス良く配分されている状態では、マウント部材２１０を前後方向に傾けようとする力が加わっても、弾性紐２３０は張力のバランスを保とうとしてマウント部材２１０がバランス良く安定に支持される。
【００３４】
これに対して、図示の実施例のように、弾性紐２３０が経由する支持ベース２３０の切欠きの位置が前後に非対称になっていて、弾性紐２３０に張力を与える支持ベース２２０の位置が後ろ側に偏移していると、弾性紐２３０の張力が前後で異なり、この前後の張力の差に対応した角度範囲でマイクロホン２４０とともにマウント部材２１０を前後方向に傾けることができる。図５は、このようにしてマイクロホン２４０とともにマウント部材２１０が前後方向に傾いた状態を示している。このマウント部材２１０の傾き角度は、例えば±１５度程度であって、さほど大きな角度ではない。しかし、マイクロホン２４０に直接触って角度を調整すればよく、締めつけねじの類を操作する必要はないから、角度の微調整を容易に行うことができる。したがって、例えば、アナウンサーや歌手が自分の声をヘッドホンなどでモニタリングしながらマイクロホンの傾き角度を望みの角度に微調整することもできる。
【００３５】
マイクロホンの傾き角度を微調整する際は、マウント部材２１０および支持ベース２２０に対して弾性紐２３０が相対移動し、この相対移動時に生ずる振動や音は軽微であるから、上記角度の微調整によって生じる雑音を軽減することができる。角度を微調整した後は、マウント部材２１０および支持ベース２２０と弾性紐２３０との摩擦力によってマウント部材２１０の姿勢が維持される。
【００３６】
図１、図２、図４において符号２１２は、マウント部材２１０の内周面を示している。このマウント部材２１０の内周面２１２には、静電植毛法などによって植毛を施せば、マイクロホン２４０がマウント部材２１０に対して相対移動したときやマウント部材２１０に外力が加わった場合などに、マイクロホン出力に雑音が混入することを防止することができる。
【００３７】
また、弾性紐２３０の表面にも静電植毛法などによって植毛を施すとよい。弾性紐２３０の表面に植毛を施すと、マウント部材２１０および支持ベース２２０と弾性紐２３０との間に適度の摩擦力が生じ、微調整したマイクロホンの角度を安定に維持することができる。また、マウント部材２１０および支持ベース２２０に対して弾性紐２３０が相対移動するとき、弾性紐２３０の表面のパイルが制振効果および静音効果をもたらし、上記微調整時の雑音を低減することができる。
【００３８】
弾性紐２３０は、ゴム紐を主体として構成されていて、経時的に化学変化を起こして劣化するため、定期的に交換することが望ましい。以上説明した実施例によれば、２本の弾性紐２３０を結合した結束金具２３１を外殻部材２２５に嵌め、この外郭部材２２５を支持ベース２２０の穴２２２に挿入した後、２本の弾性紐２３０を前述のとおりマウント部材２１０と支持ベース２２０に架け渡せばよい。弾性紐２３０を取り外す場合は、逆に、弾性紐２３０をマウント部材２１０と支持ベース２２０から取り外し、支持ベース２２０の穴２２２から結束金具２３１を抜き取ればよい。よって、弾性紐２３０の交換作業が容易になる利点がある。なお、外殻部材２２５を介在させることなく、支持ベース２２０の穴２２２に２本の弾性紐２３０を結合した結束金具２３１を直接挿入するようにしてもよい。前述のように、弾性紐２３０の表面に静電植毛を施しておけば、弾性紐２３０の経時的な化学変化を抑制することができる。
【００３９】
図示の実施例における支持ベース２２０は、リングの一部を切除した形になっているが、完全なリング状の部材であってもよい。
また、マウント部材２１０と支持ベース２２０への弾性紐の架け渡し形態は各種の形態に変更することができ、図示の実施例における弾性紐の架け渡し形態は一例に過ぎない。
【００４０】
弾性紐は、図６、図７に示すような、結束部材を境にして二つのループ状弾性紐が形成されている構成のものに限定されない。例えば、１本の弾性紐の両端部を支持ベース２２０の所定位置に固着し、この固着位置の両側に形成されているループ状の部分をマウント部材２１０と支持ベース２２０に架け渡してもよい。あるいは、１本の弾性紐をマウント部材２１０と支持ベース２２０に架け渡した後で、上記弾性紐の所定の位置を、支持ベース２２０の所定の位置に、適宜の固着手段で固着してもよい。
そのほか、特許請求の範囲に記載した技術的範囲を逸脱しない範囲で任意に設計変更して差し支えない。
【００４１】
なお、図示の実施例では、マイクロホンがマウント部材２１０に対して上向きに保持されているが、マイクロホンの使用現場においては、マイクロホンが下向きに保持される場合もある。
【符号の説明】
【００４２】
２１０    マウント部材
２１３    弾性紐掛け
２２０    支持ベース
２２２    穴
２２６    切欠き
２２７    切欠き
２３０    弾性紐
２４０    マイクロホン
【図１】
0005627013.tif 000002
【図２】
0005627013.tif 000003
【図３】
0005627013.tif 000004
【図４】
0005627013.tif 000005
【図５】
0005627013.tif 000006
【図６】
0005627013.tif 000007
【図７】
0005627013.tif 000008